(57)【要約】【課題】外部光の明るさなどの変化に能動的に対応するように、使用者のカラー特性の変化要求に応答し、階調度の損失がないホワイトバランス状態を維持しながら画像の全体明るさを調節することができる回折型光変調器を利用するディスプレイシステムのカラー特性調整装置及びその方法を提供する。【解決手段】この装置は、回折型光変調器を利用するディスプレイシステムにおいて、赤色、緑色及び青色の光を出射するＲＧＢ光源、前記ＲＧＢ光源を駆動するための光源ドライバー、前記ＲＧＢ光源のそれぞれの個別光源パワー調節インデックスが格納されているメモリ、使用者命令を受けるための入力部、及び映像の全体的な明るさ及び特定の色を調整するために、前記メモリに格納された前記個別光源パワー調節インデックスと前記使用者命令によって前記ＲＧＢ光源のそれぞれに印加される電流量を決定して前記光源ドライバーに供給する光源出力制御部を含む。【選択図】図４
2008033333.tif 000002
【特許請求の範囲】
【請求項１】
回折型光変調器を利用するディスプレイシステムにおいて、
赤色、緑色及び青色の光を出射するＲＧＢ光源；
前記ＲＧＢ光源を駆動するための光源ドライバー；
前記ＲＧＢ光源のそれぞれの個別光源パワー調節インデックスが格納されているメモリ；
使用者命令を受けるための入力部；及び
映像の全体的な明るさ及び特定の色を調整するために、前記メモリに格納された前記個別光源パワー調節インデックスと前記使用者命令によって前記ＲＧＢ光源のそれぞれに印加される電流量を決定して前記光源ドライバーに供給する光源出力制御部を；含むことを特徴とする、回折型光変調器を利用するディスプレイシステムのカラー特性調整装置。
【請求項２】
前記個別光源パワー調節インデックスは、任意に目標色温度によって設定された前記ＲＧＢ光源の光量比と、最大階調データ出力の際、最小光量を出力する光源を利用する各光源別光量出力量とからなることを特徴とする、請求項１に記載の回折型光変調器を利用するディスプレイシステムのカラー特性調整装置。
【請求項３】
前記入力部は、ボタン、タッチスクリーン、キーパッド及びリモートコントローラーの中で少なくとも一つ以上からなることを特徴とする、請求項１に記載の回折型光変調器を利用するディスプレイシステムのカラー特性調整装置。
【請求項４】
前記光源出力制御部は、前記入力部に全体明るさを調整するための使用者命令が入力される場合、前記ＲＧＢ光源の光量比によって決定された使用者命令による電流量及び前記個別光源パワー調節インデックスによる電流量を加えて前記光源ドライバーに供給することを特徴とする、請求項１に記載の回折型光変調器を利用するディスプレイシステムのカラー特性調整装置。
【請求項５】
前記光源出力制御部は、前記入力部に赤色を強調又は減少させるための使用者命令が入力される場合、前記使用者命令による赤色光源の電流量と前記個別光源調節パワーインデックスによる電流量を加えて前記光源ドライバーに供給することを特徴とする、請求項１に記載の回折型光変調器を利用するディスプレイシステムのカラー特性調整装置。
【請求項６】
前記光源出力制御部は、前記入力部にリセット命令が入力される場合、前記ＲＧＢ光源のそれぞれに印加される電流量を前記メモリに格納された個別光源パワー調節インデックスによる電流量に初期化させることを特徴とする、請求項１に記載の回折型光変調器を利用するディスプレイシステムのカラー特性調整装置。
【請求項７】
光源系と、第１反射部及び前記第１反射部から離隔して近接距離が可変する第２反射部からなり、前記第１反射部と前記第２反射部で反射された反射光が回折光を生成し、前記第１反射部と第２反射部間の近接距離によって回折光の光強度が決定される回折型光変調器とを含む光学系において、
映像データを受ける映像信号入力部；
使用者からカラー特性変化要求を受ける入力部；
前記映像信号入力部から受けた映像データを出力し、前記入力部が使用者からカラー特性変化要求を受ければ、映像データによって要求される前記回折型光変調器の第１反射部と第２反射部間の近接距離量を調整して出力する映像出力部；及び
前記映像出力部から映像データが入力されれば、前記映像出力部が出力する調整された近接距離量によって前記回折型光変調器の第１反射部と第２反射部間の近接距離を制御するパネルドライバー；を含んでなることを特徴とする、回折型光変調器を利用するディスプレイシステムのカラー特性調整装置。
【請求項８】
前記回折型光変調器は、前記第１反射部と第２反射部間の近接距離を変化させるために、下部電極層、圧電材料層及び上部電極層からなる圧電体を含み、
前記映像出力部は、前記入力部が使用者からカラー特性変化要求を受ければ、映像データによって要求される前記回折型光変調器の前記第１反射部と第２反射部間の近接距離を可変するために、前記上部電極層と下部電極層に印加されるべき駆動電圧値を調整することを特徴とする、請求項７に記載の回折型光変調器を利用するディスプレイシステムのカラー特性調整装置。
【請求項９】
前記映像出力部は、
前記回折型光変調器に印加される上部電極基準電圧と下部電極基準電圧を格納しており、前記パネルドライバーに上部電極基準電圧を出力し、前記回折型光変調器に下部電極基準電圧を出力し、前記入力部が使用者からカラー特性変化要求を受ければ、上部電極基準電圧を調整して出力する印加電圧出力部；及び
前記映像信号入力部が受けた映像データを前記パネルドライバーに出力する映像補正部；を含んでなることを特徴とする、請求項８に記載の回折型光変調器を利用するディスプレイシステムのカラー特性調整装置。
【請求項１０】
前記印加電圧出力部は、
前記回折型光変調器の前記圧電体の上部電極層に印加されるべき上部電極基準電圧と前記下部電極層に印加されるべき下部電極基準電圧を格納しているガンマ基準電圧記憶部；及び
前記ガンマ基準電圧記憶部に格納された上部電極基準電圧と下部電極基準電圧を読み取って出力し、前記入力部が使用者からカラー特性変化要求を受ければ、上部電極基準電圧を調整して出力する基準電圧出力部；を含んでなることを特徴とする、請求項９に記載の回折型光変調器を利用するディスプレイシステムのカラー特性調整装置。
【請求項１１】
前記映像出力部は、
前記回折型光変調器に印加される上部電極基準電圧と下部電極基準電圧を格納しており、前記パネルドライバーに上部電極基準電圧を出力し、前記回折型光変調器に下部電極基準電圧を出力し、前記入力部が使用者からカラー特性変化要求を受ければ、下部電極基準電圧を調整して出力する印加電圧出力部；及び
前記映像信号入力部が受けた映像データを前記パネルドライバーに出力する映像補正部；を含んでなることを特徴とする、請求項８に記載の回折型光変調器を利用するディスプレイシステムのカラー特性調整装置。
【請求項１２】
前記印加電圧出力部は、
前記回折型光変調器の前記圧電体の上部電極層に印加されるべき上部電極基準電圧と前記下部電極層に印加されるべき下部電極基準電圧を格納しているガンマ基準電圧記憶部；及び
前記ガンマ基準電圧記憶部に格納された上部電極基準電圧と下部電極基準電圧を読み取って出力し、前記入力部が使用者からカラー特性変化要求を受ければ下部電極基準電圧を調整して出力する基準電圧出力部；を含んでなることを特徴とする、請求項１１に記載の回折型光変調器を利用するディスプレイシステムのカラー特性調整装置。
【請求項１３】
前記基準電圧出力部は、
前記ガンマ基準電圧記憶部に格納されている上部電極基準電圧を読み取った後、前記入力部からカラー特性変化制御信号が入力されれば、上部電極基準電圧を調整して出力する上部電極電圧範囲調整部；及び、
前記ガンマ基準電圧記憶部に格納されている下部電極基準電圧を読み取った後、前記入力部からカラー特性変化制御信号が入力されれば、下部電極基準電圧を調整して出力する下部電極電圧調整部；を含んでなることを特徴とする、請求項１０に記載の回折型光変調器を利用するディスプレイシステムのカラー特性調整装置。
【請求項１４】
前記基準電圧出力部は、
前記ガンマ基準電圧記憶部に格納されている上部電極基準電圧を読み取った後、前記入力部からカラー特性変化制御信号が入力されれば、上部電極基準電圧を調整して出力する上部電極電圧範囲調整部；及び、
前記ガンマ基準電圧記憶部に格納されている下部電極基準電圧を読み取った後、前記入力部からカラー特性変化制御信号が入力されれば、下部電極基準電圧を調整して出力する下部電極電圧調整部；を含んでなることを特徴とする、請求項１２に記載の回折型光変調器を利用するディスプレイシステムのカラー特性調整装置。
【請求項１５】
（ａ）赤色、緑色及び青色の光源のそれぞれの最大階調データ出力の際、各光源の最大光量を出力する電流を測定する段階；
（ｂ）前記赤色、緑色及び青色の光源の中で最小光量を出力する光源を最小光量出力光源に設定する段階；
（ｃ）任意の目標色温度によって前記赤色、緑色及び青色の光源の光量比を設定する段階；及び
（ｄ）前記光源の光量比と前記最小光量出力光源を基準として各光源別光量出力量による印加電流量を決定する段階；を含むことを特徴とする、回折型光変調器を利用するディスプレイシステムのカラー特性調整方法。
【請求項１６】
（ｅ）各光源別光量出力量が決定された後、各光源に印加される電流を決定し、決定された電流を各光源に供給する段階をさらに含むことを特徴とする、請求項１５に記載の回折型光変調器を利用するディスプレイシステムのカラー特性調整方法。
【請求項１７】
前記（ａ）段階で、最大階調度は、入力映像データが８ビットデータの場合に２５５であることを特徴とする、請求項１５に記載の回折型光変調器を利用するディスプレイシステムのカラー特性調整方法。
【請求項１８】
前記（ａ）段階で、最大階調度は、入力映像データが１０ビットデータの場合に１０２４であることを特徴とする、請求項１５に記載の回折型光変調器を利用するディスプレイシステムのカラー特性調整方法。
【請求項１９】
前記（ａ）段階で、最大階調度は、入力映像データが８ビットデータの場合に２５５であることを特徴とする、請求項１５に記載の回折型光変調器を利用するディスプレイシステムのカラー特性調整方法。
【請求項２０】
前記（ａ）段階で、最大階調度は、入力映像データが１０ビットデータの場合に１０２４であることを特徴とする、請求項１５に記載の回折型光変調器を利用するディスプレイシステムのカラー特性調整方法。
【請求項２１】
光源系と、第１反射部及び前記第１反射部から離隔して近接距離が可変する第２反射部からなり、前記第１反射部と前記第２反射部で反射された反射光が回折光を生成し、前記第１反射部と第２反射部間の近接距離によって回折光の光強度が決定される回折型光変調器とを含む光学系において、
（ａ）映像信号入力部が映像データを受け、映像出力部が前記映像信号入力部が受けた映像データをパネルドライバーに出力する段階；
（ｂ）前記パネルドライバーが、受けた映像データによって前記回折型光変調器を駆動して映像を表示する段階；
（ｃ）入力部が使用者からカラー特性変化要求を受ける段階；及び
（ｄ）前記映像出力部が、前記入力部を介して使用者からカラー特性変化要求が入力されれば、映像データによって要求される前記回折型光変調器の第１反射部と第２反射部間の近接距離量を調整して前記パネルドライバーに出力する段階；を含んでなることを特徴とする、回折型光変調器を利用するディスプレイシステムのカラー特性調整方法。
【請求項２２】
前記回折型光変調器は、前記第１反射部と第２反射部間の近接距離を変化させるために、下部電極層、圧電材料層及び上部電極層からなる圧電体を含み、
前記（ｄ）段階は、前記入力部が使用者からカラー特性変化要求を受ければ、前記映像出力部が、映像データによって要求される前記回折型光変調器の前記第１反射部と第２反射部間の近接距離を可変するために、前記上部電極層と下部電極層に印加されるべき印加駆動電圧値を調整して出力することを特徴とする、請求項２１に記載の回折型光変調器を利用するディスプレイシステムのカラー特性調整方法。
【請求項２３】
前記（ｄ）段階は、
（ｅ）前記映像出力部の基準電圧出力部は、前記入力部が使用者からカラー特性変化要求を受ければ、ガンマ基準電圧記憶部に格納された上部電極基準電圧を調整する段階；及び
（ｆ）前記基準電圧出力部が、調整された上部電極基準電圧と下部電極基準電圧を出力する段階；を含んでなることを特徴とする、請求項２２に記載の回折型光変調器を利用するディスプレイシステムのカラー特性調整方法。
【請求項２４】
前記（ｄ）段階は、
（ｇ）前記映像出力部の基準電圧出力部が、前記入力部が使用者からカラー特性変化要求を受ければ、ガンマ基準電圧記憶部に格納された下部電極基準電圧を調整する段階；及び
（ｈ）前記基準電圧出力部が、上部電極基準電圧と調整された下部電極基準電圧を出力する段階；を含んでなることを特徴とする、請求項２２に記載の回折型光変調器を利用するディスプレイシステムのカラー特性調整方法。
【発明の詳細な説明】
【技術分野】
【０００１】
本発明は回折型光変調器を利用するディスプレイシステムに係り、より詳しくは、外部光の明るさなどの変化に能動的に対応するように使用者のカラー特性の変化要求に応答し、階調度の損失がないホワイトバランス状態を維持しながら画像の全体明るさを調節することができる回折型光変調器を利用するディスプレイシステムのカラー特性調整装置及びその方法に関するものである。
【背景技術】
【０００２】
近年、半導体素子製造工程を利用して、マイクロミラー、マイクロレンズ及びスイッチなどのマイクロ光学部品と、マイクロ慣性センサー、マイクロバイオチップ及びマイクロ無線通信素子を製作するマイクロマシニング技術が開発されている。
【０００３】
ここで、マイクロミラーは、上下方向、回転方向及び滑り方向などの動的及び静的な運動に応じて多様に運用される。上下方向の運動は位相補正器又は回折器などに応用され、傾く方向の運動は、スキャナー、スイッチ、光信号分配器、光信号減衰器、及び光源アレイなどに応用され、滑り方向の運動は、光遮蔽器、スイッチ、光信号分配器などに応用される。
【０００４】
このようなマイクロミラーの一例として、図１に示すような反射型変形可能格子光変調器１０がある。このような光変調器１０は、特許文献１に開示されている。光変調器１０は、反射表面２２を有し、基板１６の上部に浮遊する、一定に離隔する多数の変形可能反射型リボン１８を含む。絶縁層１１がシリコン基板１６上に蒸着される。次いで、犠牲二酸化シリコン膜１２及び窒化シリコン膜１４の蒸着が続く。
【０００５】
窒化シリコン膜１４はリボン１８からパターニングされ、二酸化シリコン膜１２の一部がエッチングされることにより、リボン１８が窒化物フレーム２０によって酸化物スペーサ層上に維持される。
【０００６】
単一波長λ０を有する光を変造させるため、光変調器１０は、リボン１８の厚さと犠牲二酸化シリコン膜１２の厚さがλ０／４となるように設計する。
【０００７】
リボン１８上の反射表面２２と基板１６の反射表面間の垂直距離ｄに限定されたこのような光変調器１０の格子振幅はリボン１８（第１電極としての役目をするリボン１８の反射表面２２）と基板１６（第２電極としての役目をする基板１６下部の伝導膜２４）との間に電圧を印加することにより制御される。
【０００８】
図２は従来技術による陷沒型薄膜圧電光変調器の断面図である。
【０００９】
図２を参照すれば、従来技術による陷沒型薄膜圧電光変調器は、シリコン基板３１とエレメント４０を備えている。
【００１０】
ここで、エレメント４０は、一定の幅を有し、多数が一定に整列して陷沒型薄膜圧電光変調器を構成する。また、エレメント４０は相異なる幅を持って交番しながら整列されて陷沒型薄膜圧電光変調器を構成する。最後に、エレメント４０は一定間隔（エレメント４０の幅とほぼ同じ距離）を置いて離隔して位置することができる。この場合、シリコン基板３１の上面全面に形成されたマイクロミラー層が入射光を反射して回折させる。
【００１１】
シリコン基板３１は、エレメント４０にエアスペースを提供するために陷沒部を備えており、絶縁層３２が上面に蒸着されており、陷沒部の両側にエレメント４０の端部が付着されている。
【００１２】
エレメント４０は棒状を取っており、中央部がシリコン基板３１の陷沒部から離隔して位置するように、両端の下面がそれぞれシリコン基板３１の陷沒部を外れた両側部位に付着され、シリコン基板３１の陷沒部に位置する部分が上下に移動可能な下側支持部４１を含む。
【００１３】
また、エレメント４０は、下側支持部４１の左側端に積層され、圧電電圧を提供するための下部電極層４２Ａ、下部電極層４２Ａに積層され、両面に電圧が印加されれば収縮及び膨脹して上下駆動力を発生させる圧電材料層４３Ａ、及び圧電材料層４３Ａに積層され、圧電材料層４３Ａに圧電電圧を提供する上部電極層４４Ａを含んでいる。
【００１４】
また、エレメント４０は、下側支持部４１の右側端に積層され、圧電電圧を提供するための下部電極層４２Ｂ、下部電極層４２Ｂに積層され、両面に電圧が印加されれば収縮及び膨脹して上下駆動力を発生させる圧電材料層４３Ｂ、及び圧電材料層４３Ｂに積層され、圧電材料層４３Ｂに圧電電圧を提供する上部電極層４４Ｂを含んでいる。
【００１５】
このような回折型光変調器を利用するディスプレイ装置において、スクリーンに投射される回折光の光強度は入力映像に対していつも一定になるように調節されている。
【００１６】
しかし、回折型光変調器を利用するディスプレイ装置において、外部光の明るさなどが周辺の環境によって随時変化することができ、これにより、スクリーンに投射される回折光の光強度と外部光の明るさなどとの不調和が発生する。
【００１７】
また、回折型光変調器を利用する従来のディスプレイシステムは、それぞれのアドレスにホワイトバランス調整のための補正データがメモリ形態として存在し、入力される映像データをアナログ／デジタル変換器でデジタルに変換した後、アナログ／デジタル変換器から出力される赤色（Ｒ）、緑色（Ｇ）及び青色（Ｂ）の信号に応じてホワイトバランス調整のためのデータを決め、赤色（Ｒ）、緑色（Ｇ）及び青色（Ｂ）の信号に含ませて出力するから、表示階調度が損失する問題がある。
【特許文献１】米合衆国特許第５、３１１、３６０号明細書
【発明の開示】
【発明が解決しようとする課題】
【００１８】
したがって、本発明は前記のような問題点を解決するためになされたもので、回折型光変調器を利用するディスプレイシステムにおいて、外部光の明るさなどの変化に能動的に対応するように、使用者のカラー特性の変化要求に応答するようにする回折型光変調器を利用するディスプレイシステムのカラー特性調整装置及びその方法を提供することを目的とする。
【００１９】
また、本発明は、個別光源を制御し、階調度の犠牲なしに、ホワイトバランスを調節することができる回折型光変調器を利用するディスプレイシステムのカラー特性調整装置及びその方法を提供することを他の目的とする。
【００２０】
そして、本発明は、使用者の選択によって特定の色を強調するか、階調度の損失がないホワイトバランス状態を維持しながら画像の全体明るさを調節することができる回折型光変調器を利用するディスプレイシステムのカラー特性調整装置及びその方法を提供することをさらに他の目的とする。
【課題を解決するための手段】
【００２１】
このような目的を達成するため、本発明は、回折型光変調器を利用するディスプレイシステムにおいて、赤色、緑色及び青色の光を出射するＲＧＢ光源；前記ＲＧＢ光源を駆動するための光源ドライバー；前記ＲＧＢ光源のそれぞれの個別光源パワー調節インデックスが格納されているメモリ；使用者命令を受けるための入力部；及び映像の全体的な明るさ及び特定の色を調整するために、前記メモリに格納された前記個別光源パワー調節インデックスと前記使用者命令によって前記ＲＧＢ光源のそれぞれに印加される電流量を決定して前記光源ドライバーに供給する光源出力制御部を；含むことを特徴とする。
【００２２】
また、本発明は、光源系と、第１反射部及び前記第１反射部から離隔して近接距離が可変する第２反射部からなり、前記第１反射部と前記第２反射部で反射された反射光が回折光を生成し、前記第１反射部と第２反射部間の近接距離によって回折光の光強度が決定される回折型光変調器とを含む光学系において、映像データを受ける映像信号入力部；使用者からカラー特性変化要求を受ける入力部；前記映像信号入力部から受けた映像データを出力し、前記入力部が使用者からカラー特性変化要求を受ければ、映像データによって要求される前記回折型光変調器の第１反射部と第２反射部間の近接距離量を調整して出力する映像出力部；及び前記映像出力部から映像データが入力されれば、前記映像出力部が出力する調整された近接距離量によって前記回折型光変調器の第１反射部と第２反射部間の近接距離を制御するパネルドライバー；を含んでなることを特徴とする。
【００２３】
また、本発明は、（ａ）赤色、緑色及び青色の光源のそれぞれの最大階調データ出力の際、前記各光源の最大光量を出力する電流を測定する段階；（ｂ）前記赤色、緑色及び青色の光源の中で最小光量を出力する光源を最小光量出力光源に設定する段階；（ｃ）任意の目標色温度によって前記赤色、緑色及び青色の光源の光量比を設定する段階；及び（ｄ）前記光源の光量比と前記最小光量出力光源を基準として各光源別光量出力量による印加電流量を決定する段階；を含むことを特徴とする。
【００２４】
また、本発明は、光源系と、第１反射部及び前記第１反射部から離隔して近接距離が可変する第２反射部からなり、前記第１反射部と前記第２反射部で反射された反射光が回折光を生成し、前記第１反射部と第２反射部間の近接距離によって回折光の光強度が決定される回折型光変調器とを含む光学系において、（ａ）映像信号入力部が映像データを受け、映像出力部が前記映像信号入力部が受けた映像データをパネルドライバーに出力する段階；（ｂ）前記パネルドライバーが、受けた映像データによって前記回折型光変調器を駆動して映像を表示する段階；（ｃ）入力部が使用者からカラー特性変化要求を受ける段階；及び（ｄ）前記映像出力部が、前記入力部を介して使用者からカラー特性変化要求が入力されれば、映像データによって要求される前記回折型光変調器の第１反射部と第２反射部間の近接距離量を調整して前記パネルドライバーに出力する段階；を含んでなることを特徴とする。
【発明の効果】
【００２５】
前述したように、本発明は、最大階調データを出力するための各光源別最大光量出力電流量を利用して最小光量出力光源を決定した後、決定された最小光量出力光源と任意に設定された目標色温度による各光源の光量比から各光源別光量出力量を決め、決定された光量出力量による電流をそれぞれの光源に供給することで、表示階調度の損失なしにホワイトバランスを調節することができる効果がある。
【００２６】
また、本発明は、任意の目標色温度によるＲＧＢ光源の光量比と最大階調データ出力の際に最小光量を出力する光源を利用し、各光源別光量出力量による各光源別印加電流で初期ホワイトバランスを調節するので、階調度の損失なしにホワイトバランスを調節することができる効果がある。
【００２７】
そして、本発明は、ＲＧＢ光源のそれぞれの光量出力量を同時に変化させることにより、階調度の損失がない初期ホワイトバランス状態を維持しながら画像全体の明るさを調節することができる効果がある。
【００２８】
また、本発明は、使用者の選択によって、ＲＧＢ光源のいずれか一つの光源の光量出力量を調節し、ＲＧＢ光源のいずれか一つの光源の光を増加あるいは減少させて特定の色を強調又は減少させることができる効果がある。
【００２９】
これにより、本発明は、色弱又は色盲などのように、特定の色又は色全体の区別能力に劣る人であっても、自分が望む色で映像を具現することができる効果がある。
【００３０】
また、本発明は、外部光の明るさなどの変化に能動的に対応することができ、使用者のカラー特性の変化要求に応答するようにする効果がある。
【発明を実施するための最良の形態】
【００３１】
以下、添付図面に基づいて本発明の好ましい実施例を詳細に説明する。
【００３２】
図３は本発明の実施例による回折型光変調器を利用するモバイルディスプレイシステムのブロック構成図である。
【００３３】
図３を参照すれば、本発明の実施例による回折型光変調器を利用するモバイルディスプレイシステムは、無線通信部１１０、入力部１１２、ベースバンドプロセッサ１１６、イメージセンサーモジュールプロセッサ１１８、ディスプレイ部１２０、光変調器プロジェクター１３０、及びメモリ１０２を含む。
【００３４】
無線通信部１１０は、外部システムと無線通信を行う。
【００３５】
入力部１１２は、ボタン、キーパッド、タッチスクリーン、リモートコントローラーの中で、少なくとも一つ以上からなり、外部から入力される情報、つまり使用者命令を入力する。
【００３６】
ベースバンドプロセッサ１１６は、外部システムと無線通信を行うために、無線通信部１１０を制御し、備えられたカメラなどから映像イメージを受けるために、イメージセンサーモジュールプロセッサ１１８を制御し、映像イメージをディスプレイ部１２０に表示するために、マルチメディアプロセッサ１２２を制御する。また、ベースバンドプロセッサ１１６は、映像イメージがスクリーン１６０に投射されるように、回折型光変調器を利用するディスプレイシステムの光変調器プロジェクター１３０のプロジェクション制御部１４０を制御する。
【００３７】
この際、ベースバンドプロセッサ１１６は、無線通信部１１０、イメージセンサーモジュールプロセッサ１１８、マルチメディアプロセッサ１２２、及び回折型光変調器を利用するディスプレイシステムの光変調器プロジェクター１３０のプロジェクション制御部１４０を制御する。このようなベースバンドプロセッサ１１６は、ＨＨＰ、ＰＤＡ、ＰＭＰ、Ｎｏｔｅ  ＰＣなどのモバイル機器を制御するモバイル器機制御部、つまり携帯端末制御系と呼ぶことができる。
【００３８】
イメージセンサーモジュールプロセッサ１１８は、ベースバンドプロセッサ１１６からの制御命令に応じて、備えられたカメラなどから映像が入力される場合、入力された映像を処理し、処理された映像イメージデータをマルチメディアプロセッサ１２２及び／又はベースバンドプロセッサ１１６に伝送する。
【００３９】
ディスプレイ部１２０は、マルチメディアプロセッサ１２２から供給される映像イメージデータを画面上に表示する。
【００４０】
マルチメディアプロセッサ１２２は、ベースバンドプロセッサ１１６からの制御命令に応じて、イメージセンサーモジュールプロセッサ１１８から供給される映像イメージデータとメモリ１０２に格納された映像データをディスプレイ部１２０の画面に適した映像に処理してディスプレイ部１２０に供給する。
【００４１】
光変調器プロジェクター１３０は、ベースバンドプロセッサ１１６の制御によって、マルチメディアプロセッサ１２２及び／又はベースバンドプロセッサ１１６から受けた映像イメージデータによる映像イメージを回折型光変調器によって生成した後、生成された映像イメージを拡大してスクリーン１６０に投射する。この際、ベースバンドプロセッサ１１６は、メモリ１０２に格納された映像データを光変調器プロジェクター１３０に供給する。このような光変調器プロジェクター１３０は、プロジェクション制御部１４０及び光変調光学系１５０から構成される。
【００４２】
プロジェクション制御部１４０は、ベースバンドプロセッサ１１６から受けた制御信号に応じて、マルチメディアプロセッサ１２２及びベースバンドプロセッサ１１６から受けた映像イメージデータによる映像を光変調光学系１５０が生成するように、光変調光学系１５０を制御する。
【００４３】
このようなプロジェクション制御部１４０は、図４に示すように、映像信号入力部２０２、映像補正部２０４、上部電極電圧範囲調節部２０６、下部電極電圧調節部２０８、映像データ／同期信号出力部２１０、光源出力制御部２１２、及びスキャナー出力制御部２１４から構成されるか、あるいは、図７に示すように、映像信号入力部４０２、ガンマ基準電圧記憶部４０４、映像補正部４０６、エレメント別補正データ記憶部４０８、映像データ／同期信号出力部４１０、上部電極電圧範囲調節部４１２、下部電極電圧調節部４１４、光源出力制御部４１６、及びスキャナー出力制御部４１８から構成される。これについての詳細な説明は後述する。
【００４４】
このようなプロジェクション制御部１４０は、回折型光変調器を利用するディスプレイシステムのホワイトバランス又はカラー特性を調節するので、ホワイトバランス調整装置又はカラー特性調整装置と名付けることができる。
【００４５】
光変調光学系１５０は、プロジェクション制御部１４０から入力される制御信号に応じて映像イメージを生成し、生成された映像イメージを拡大してスクリーン１６０に投射する。このような光変調光学系１５０は、光源系１５１、照明光学部１５２、回折型光変調器１５３、シュリーレン光学部１５４、及び投映及びスキャニング光学部１５５から構成される。
【００４６】
光源系１５１は、プロジェクション制御部１４０から供給される光源スイチング制御信号に応じて、赤色（Ｒ）、緑色（Ｇ）及び青色（Ｂ）の光を生成して出射し、照明光学部１５２は、光源系１５１から出射した光を回折型光変調器１５３に入射させる。
【００４７】
回折型光変調器１５３は、プロジェクション制御部１４０から供給される映像データ信号、基準電圧、下部電極電圧、垂直同期信号及び水平同期信号に応じて、照明光学部１５２で入射した光を回折させ（つまり、照明光学部１５２から入射した光を回折させて複数の回折次数を有する回折光を形成することになり、この際、複数回折次数の回折光の中で、いずれか１次数又は複数次数の回折光が所望の映像イメージを生成することになる）、映像イメージを生成する。
【００４８】
シュリーレン光学部１５４は、回折型光変調器１５３で生成された複数次数の回折光の中で、所望次数の回折光を通過させる。
【００４９】
投映及びスキャニング光学部１５５は、シュリーレン光学部１５４を通過した回折光からなる映像イメージをスクリーン１６０に投射する。
【００５０】
メモリ１０２は、映像データなどのデータと、赤色（Ｒ）、緑色（Ｇ）及び青色（Ｂ）の各光源に対する制御インデックス（Ｉｎｄｅｘ）値を格納する。ここで、制御インデックス値は、次のような方法によって、オフライン（Ｏｆｆ  ｌｉｎｅ）テストで設定される。
【００５１】
まず、赤色（Ｒ）、緑色（Ｇ）及び青色（Ｂ）の光源のそれぞれの波長及び任意の目標色温度（例えば、１００００Ｋ）を設定する。この際、設定された色温度によって、赤色（Ｒ）、緑色（Ｇ）及び青色（Ｂ）の各光源の光量比（例えば、Ｒ：Ｇ：Ｂ＝α：β：δ）が決定される。
【００５２】
また、最大階調データを出力するために、赤色（Ｒ）、緑色（Ｇ）及び青色（Ｂ）の各光源に供給される電流量を増加させながら最大光量を出力する電流量を測定した後、赤色（Ｒ）、緑色（Ｇ）及び青色（Ｂ）の光源の中で最小光量を出力する光源を決定する。例えば、Ｒ：Ｇ：Ｂ＝ａ：ｂ：ｃ（ａ＞ｂ＞ｃ、ａ、ｂ、ｃは光量出力量）の場合、最小光量を出力する光源として青色（Ｂ）の光源を決定する。
【００５３】
これにより、青色（Ｂ）の光源の光量出力量（Ｂ＿ｉｎｄｅｘ＿ｍａｘ）を基準として、赤色（Ｒ）光源の光量出力量（Ｒ＿ｉｎｄｅｘ＿ｍａｘ）はｃ＊α／δに設定され、緑色（Ｇ）光源の光量出力量（Ｇ＿ｉｎｄｅｘ＿ｍａｘ）はｃ＊β／δに設定される。この際、設定された赤色（Ｒ）、緑色（Ｇ）及び青色（Ｂ）の光量出力量（Ｒ＿ｉｎｄｅｘ＿ｍａｘ、Ｇ＿ｉｎｄｅｘ＿ｍａｘ、Ｂ＿ｉｎｄｅｘ＿ｍａｘ）値がメモリ１０２に格納される。
【００５４】
このようなメモリ１０２は、映像データなどのデータが格納される第１メモリと、赤色（Ｒ）、緑色（Ｇ）及び青色（Ｂ）の各光源に対する制御インデックス（Ｉｎｄｅｘ）値が格納される第２メモリとから構成できる。
【００５５】
また、メモリ１０２は、モバイル器機制御部の各部分の設定値、つまり制御命令及び最初ホワイトバランス設定と関連し、各個別光源（例えば、赤色（Ｒ）、緑色（Ｇ）及び青色（Ｂ）の光源）の光量比による個別光源パワー調節インデックス（Ｉｎｄｅｘ）値（Ｒ＿ｉｎｉ、Ｇ＿ｉｎｉ、Ｂ＿ｉｎｉ）を記憶する。
【００５６】
この際、個別光源パワー調節インデックス値は、オフラインテストによって、回折型光変調器を利用するディスプレイシステムが出荷される前、ホワイトバランスを設定する初期ホワイトバランス設定値であり、このような個別光源パワー調節インデックス値は次のような方法で設定されてメモリ１０２に格納される。
【００５７】
まず、各個別光源（赤色（Ｒ）、緑色（Ｇ）及び青色（Ｂ）の光源）から最大階調データ（例えば、８ビットの場合２５５、１０ビットの場合１０２４）を出力し、各光源別に最大光量を出力する電流量を測定した後、最大光量出力による電流量を利用して、最小光量を出力する光源を決定する。例えば、赤色（Ｒ）、緑色（Ｇ）及び青色（Ｂ）の光源の光出力量がそれぞれａ：ｂ：ｃ（ａ＞ｂ＞ｃ＞）の場合、最小光量を出力する光源として青色（Ｂ）の光源を決定する。
【００５８】
また、任意の目標色温度（例えば、３１２００Ｋ）を設定、つまり色座標上に目標位置を決め、目標色温度による赤色（Ｒ）、緑色（Ｇ）及び青色（Ｂ）の各光源の光量比（例えば、Ｒ：Ｇ：Ｂ＝α：β：δ）が決定される。
【００５９】
これにより、青色（Ｂ）の光源の光量出力量（Ｂ＿ｉｎｄｅｘ＿ｍａｘ）を基準として赤色（Ｒ）光源の光量出力量（Ｒ＿ｉｎｄｅｘ＿ｍａｘ）はｃ＊α／δに設定され、緑色（Ｇ）光源の光量出力量（Ｇ＿ｉｎｄｅｘ＿ｍａｘ）はｃ＊β／δに設定される。この際、設定された赤色（Ｒ）、緑色（Ｇ）及び青色（Ｂ）の光量出力量（Ｒ＿ｉｎｄｅｘ＿ｍａｘ、Ｇ＿ｉｎｄｅｘ＿ｍａｘ、Ｂ＿ｉｎｄｅｘ＿ｍａｘ）値がメモリ１０２に格納される。
【００６０】
この際、個別光源パワー調節インデックス値（Ｒ＿ｉｎｉ、Ｇ＿ｉｎｉ、Ｂ＿ｉｎｉ）は、ＨＨＰ（Ｈａｎｄ  Ｈｅｌｄ  Ｐｒｏｄｕｃｔｓ）、ＰＤＡ（Ｐｅｒｓｎａｌ  Ｄｉｇｉｔａｌ  Ａｓｓｉｓｔａｎｔｓ）、ＰＭＰ（Ｐｏｔａｂｌｅ  Ｍｕｌｔｉｍｅｄｉａ  Ｐｌａｙｅｒ）、Ｎｏｔｅ  ＰＣなどのモバイル器機及び／又は回折型光変調器を利用するディスプレイシステムの初期ホワイトバランスを設定するための値である。
【００６１】
図４は図３に示す回折型光変調器を利用するディスプレイシステムのプロジェクション制御部の一実施例を示すブロック構成図である。
【００６２】
図４を参照すれば、プロジェクション制御部１４０は、映像信号入力部２０２、映像補正部２０４、上部電極電圧範囲調節部２０６、下部電極電圧調節部２０８、映像データ／同期信号出力部２１０、光源出力制御部２１２、及びスキャナー出力制御部２１４を含み、モバイル器機制御部１４２及びメモリ１０２とのインターフェース機能をする。ここで、モバイル器機制御部１４２は、図３に示すベースバンドプロセッサ１１６を示す。
【００６３】
映像信号入力部２０２は、ベースバンドプロセッサ１１６から映像データ信号（ＲＧＢ）、垂直同期信号（Ｖｓｙｎｃ）及び水平同期信号（Ｈｓｙｎｃ）を受け、その映像データ信号（ＲＧＢ）、垂直同期信号（Ｖｓｙｎｃ）及び水平同期信号（Ｈｓｙｎｃ）を出力する。
【００６４】
また、映像信号入力部２０２は、マルチメディアプロセッサ１２２から映像データ信号を受けて映像補正部２０４に出力する。
【００６５】
映像補正部２０４は、映像信号入力部２０２から供給される横方向に整列された映像データ信号をデータトランスポーズによって縦方向の映像データ信号に変換し、映像信号入力部２０２から供給される垂直同期信号（Ｖｓｙｎｃ）及び水平同期信号（Ｈｓｙｎｃ）をバッファリングする。
【００６６】
このような映像補正部２０４は、回折型光変調器１５３を利用する光変調光学系１５０の場合、複数のピクセル（Ｐｉｘｅｌ）が縦に配列されているに対し、横方向にスキャンして表示するから、データトランスポーズを行う。
【００６７】
また、映像補正部２０４は、赤色（Ｒ）、緑色（Ｇ）及び青色（Ｂ）のそれぞれの光源に対するＮ個（Ｎは階調度によって決定）のガンマ基準電圧を赤色（Ｒ）、緑色（Ｇ）及び青色（Ｂ）の光源別に分離し、それぞれの光源に対してピクセルの個数（垂直解像度に対するピクセルの個数、つまりミラーの個数）＊ｎ個（ｎは補正方法によって違う）のピクセル別補正データによってトランスポーズされた映像データ信号を補正する。
【００６８】
上部電極電圧範囲調節部２０６は、映像補正部２０４から入力される映像データ信号に応じて、光変調器の上部電極に供給される電圧の範囲を調節し、光変調器パネル３０４を駆動させるパネルドライバー３０２に供給する。この際、光変調器パネル３０４及びパネルドライバー３０２は回折型光変調器１５３を成す構成要素である。
【００６９】
下部電極電圧調節部２０８は、映像補正部２０４から入力される映像データ信号に応じて、光変調器の下部電極に供給される電圧を調節し、光変調器パネル３０４に供給する。
【００７０】
映像データ／同期信号出力部２１０は、映像補正部２０４から入力される映像データ信号（ＲＧＢ）、垂直同期信号（Ｖｓｙｎｃ）及び水平同期信号（Ｈｓｙｎｃ）をパネルドライバー３０２、光源出力制御部２１２及びスキャナー出力制御部２１４に供給する。
【００７１】
光源出力制御部２１２は、メモリ１０２に格納された赤色（Ｒ）、緑色（Ｇ）及び青色（Ｂ）の光源の光量出力量値による制御インデックス（Ｒ＿ｉｎｄｅｘ＿ｍａｘ、Ｇ＿ｉｎｄｅｘ＿ｍａｘ、Ｂ＿ｉｎｄｅｘ＿ｍａｘ）を受けて赤色（Ｒ）、緑色（Ｇ）及び青色（Ｂ）のそれぞれの光源に供給される印加電流を決め、映像データ／同期信号出力部２１０から供給される垂直同期信号及び水平同期信号に応じて、各光源３１２を駆動させる光源ドライバー３１０に供給する。
【００７２】
また、光源出力制御部２１２は、メモリ１０２から受ける個別光源調節パワーインデックス値（Ｒ＿ｉｎｉ、Ｇ＿ｉｎｉ、Ｂ＿ｉｎｉ）、つまり初期ホワイトバランスを維持するように設定された光量出力量（Ｒ＿ｉｎｄｅｘ＿ｍａｘ、Ｇ＿ｉｎｄｅｘ＿ｍａｘ、Ｂ＿ｉｎｄｅｘ＿ｍａｘ）による電流を、赤色（Ｒ）、緑色（Ｇ）及び青色（Ｂ）の各光源３１２を駆動させる光源ドライバー３１０に供給する。
【００７３】
この際、光源出力制御部２１２は、映像データ／同期信号出力部２１０から供給される垂直同期信号（Ｖｓｙｎｃ）及び水平同期信号（Ｈｓｙｎｃ）に同期させ、光源ドライバー３１０に決定された電流量を供給する。
【００７４】
これにより、光源ドライバー３１０は、光源出力制御部２１２から供給される電流量によって個別光源３１２を駆動させる。これにより、赤色（Ｒ）、緑色（Ｇ）及び青色（Ｂ）の光源はホワイトバランスが維持されるように光を出射させる。
【００７５】
このような光源出力制御部２１２は、入力部１１２を介して入力される使用者命令に応じて初期ホワイトバランス状態を維持しながら画面全体の明るさを調節するように、各光源に印加される電流量を設定するか、あるいは特定の色の強調／減少ができるように、各光源に印加される電流量を設定する。
【００７６】
まず、初期ホワイトバランスを維持した状態で、全体明るさを調節するための使用者命令（Ｒ＿ｕｓｅｒ、Ｇ＿ｕｓｅｒ、Ｂ＿ｕｓｅｒ）が入力部１１２を介して入力されれば、光源出力制御部２１２は、メモリ１０２から供給される個別光源調節パワーインデックス値（Ｒ＿ｉｎｉ、Ｇ＿ｉｎｉ、Ｂ＿ｉｎｉ）を基準として、入力部１１２を介して入力された使用者命令（Ｒ＿ｕｓｅｒ、Ｇ＿ｕｓｅｒ、Ｂ＿ｕｓｅｒ）に応じて、赤色（Ｒ）、緑色（Ｇ）及び青色（Ｂ）の各光源に印加される電流量を設定した後、使用者命令（Ｒ＿ｕｓｅｒ、Ｇ＿ｕｓｅｒ、Ｂ＿ｕｓｅｒ）による電流量と個別光源調節パワーインデックス値（Ｒ＿ｉｎｉ、Ｇ＿ｉｎｉ、Ｂ＿ｉｎｉ）による電流量を加え、光源ドライバー３１０に供給する。
【００７７】
この際、入力部１１２を介して入力される使用者命令（Ｒ＿ｕｓｅｒ、Ｇ＿ｕｓｅｒ、Ｂ＿ｕｓｅｒ）は、初期ホワイトバランスを維持しながら画面全体の明るさを調節しなければならないので、初期ホワイトバランス設定の際、赤色（Ｒ）、緑色（Ｇ）及び青色（Ｂ）の各光源の光源比とメモリ１０２に格納された個別光源調節パワーインデックス値（Ｒ＿ｉｎｉ、Ｇ＿ｉｎｉ、Ｂ＿ｉｎｉ）値によって電流量の比が決定される。
【００７８】
言い換えれば、使用者命令（Ｒ＿ｕｓｅｒ、Ｇ＿ｕｓｅｒ、Ｂ＿ｕｓｅｒ）に応じて各光源に印加される電流量は、単位インデックス増加／減少の際、個別光出力増減量が同一である場合、初期ホワイトバランスの比と各光源別インデックス／明るさ特性値の比、つまり最初ホワイトバランス設定の際、各光源別出力量の比がｒ：ｇ：ｂであれば、インデックス増加量／減少量もｒ：ｇ：ｂ値に設定される。これにより、赤色（Ｒ）、緑色（Ｇ）及び青色（Ｂ）の各光源に印加される電流量が同一大きさに増加／減少することになる。しかし、単位インデックス増加量／減少量による光出力増加量／減少量が各光源別に違う場合は、これを補償してインデックス増加量／減少量が決定される。
【００７９】
これにより、光源出力制御部２１２は、使用者命令による電流量（Ｒ＿ｕｓｅｒ、Ｇ＿ｕｓｅｒ、Ｂ＿ｕｓｅｒ）と個別光源調節パワーインデックス値（Ｒ＿ｉｎｉ、Ｇ＿ｉｎｉ、Ｂ＿ｉｎｉ）による電流量を加えた電流量（Ｒ＿ｉｎｉ＋Ｒ＿ｕｓｅｒ、Ｇ＿ｉｎｉ＋Ｇ＿ｕｓｅｒ、Ｂ＿ｉｎｉ＋Ｂ＿ｕｓｅｒ）を光源ドライバー３１０に供給し、光源ドライバー３１０は、供給された電流量（Ｒ＿ｉｎｉ＋Ｒ＿ｕｓｅｒ、Ｇ＿ｉｎｉ＋Ｇ＿ｕｓｅｒ、Ｂ＿ｉｎｉ＋Ｂ＿ｕｓｅｒ）を各光源３１２に供給して各光源３１２を駆動させる。これにより、光源３１２は、初期ホワイトバランスを維持した状態で全体明るさが調節されるように光を出射することになる。
【００８０】
しかし、特定の色（例えば、赤色（Ｒ））を強調／減少させるための使用者命令（Ｒ＿ｕｓｅｒ）が入力部１１２を介して入力されれば、光源出力制御部２１２は、メモリ１０２から供給される個別光源調節パワーインデックス値（Ｒ＿ｉｎｉ、Ｇ＿ｉｎｉ、Ｂ＿ｉｎｉ）と入力される使用者命令による電流量（Ｒ＿ｕｓｅｒ）を加えた特定の色（例えば、赤色（Ｒ））強調／減少電流量（Ｒ＿ｉｎｉ±Ｒ＿ｕｓｅｒ、Ｇ＿ｉｎｉ、Ｂ＿ｉｎｉ）を光源ドライバー３１０に供給する。すなわち、赤色（Ｒ）、緑色（Ｇ）及び青色（Ｂ）の光源のいずれか一つの光源（例えば、赤色（Ｒ）光源）に印加される電流量のみを変化させて光源ドライバー３１０に供給する。
【００８１】
これにより、光源ドライバー３１０は、光源出力制御部２１２から供給される赤色（Ｒ）を強調／減少させるための電流量（Ｒ＿ｉｎｉ±Ｒ＿ｕｓｅｒ、Ｇ＿ｉｎｉ、Ｂ＿ｉｎｉ）を光源３１２に供給し、光源３１２は、ホワイトバランス状態でない赤色（Ｒ）が強調／減少された光を出射することになるので、ディスプレイ部１２０及びスクリーン１６０は、特定の色（例えば、赤色（Ｒ））が強調／減少された映像を表示することになる。
【００８２】
このように、特定の色を強調／減少させて映像を表示する場合、色弱又は色盲などのように特定の色又は色全体の区別能力に劣る人であっても自分が望む色で映像を具現することができる利点がある。
【００８３】
最後に、使用者が入力部１１２を介してリセット（ｒｅｓｅｔ）命令を入力する場合、光源出力制御部２１２は、メモリ１０２から受ける個別光源調節パワーインデックス値（Ｒ＿ｉｎｉ、Ｇ＿ｉｎｉ、Ｂ＿ｉｎｉ）による赤色（Ｒ）、緑色（Ｇ）及び青色（Ｂ）の各光源の光量出力量（Ｒ＿ｉｎｉ、Ｇ＿ｉｎｉ、Ｂ＿ｉｎｉ）を同時に変化させて光源ドライバー３１０に供給する。言い換えれば、光源出力制御部２１２は、初期ホワイトバランスを維持するように、赤色（Ｒ）、緑色（Ｇ）及び青色（Ｂ）の各光源に印加される電流量（Ｒ＿ｉｎｉ、Ｇ＿ｉｎｉ、Ｂ＿ｉｎｉ）を同時に初期状態に変化させて光源ドライバー３１０に供給する。
【００８４】
これにより、光源ドライバー３１０は、光源出力制御部２１２から供給される各光源の光量出力量を、各光源を駆動するための電流量にそれぞれ変換して個別光源３１２に供給する。これにより、赤色（Ｒ）、緑色（Ｇ）及び青色（Ｂ）の光源は、光源ドライバー３１０から供給される電流量によってホワイトバランス状態が維持されるように光を出射させる。
【００８５】
ここで、光源３１２及び光源ドライバー３１０は光源系１５１を成す構成要素である。
【００８６】
スキャナー出力制御部２１４は、映像データ／同期信号出力部２１０から供給される映像データ信号（ＲＧＢ）を、垂直同期信号（Ｖｓｙｎｃ）及び水平同期信号（Ｈｓｙｎｃ）によってスキャニングデバイス３０８を駆動させるスキャナードライバー３０６に供給する。
【００８７】
ここで、スキャニングデバイス３０８及びスキャナードライバー３０６は投映及びスキャニング光学部１５５を成す構成要素である。
【００８８】
図５は図３に示す本発明の実施例による回折型光変調器を利用するディスプレイシステムのホワイトバランス調整方法を示すフローチャート、図６は最大光量を出力する電流量を測定するグラフである。
【００８９】
図５及び図６を参照すれば、赤色（Ｒ）、緑色（Ｇ）及び青色（Ｂ）の各光源の最大階調データ（８ビットの場合２５５、１０ビットの場合１０２４）を出力（Ｓ３０２）するために、図６に示すように、赤色（Ｒ）、緑色（Ｇ）及び青色（Ｂ）の各光源に供給される電流量を増加させながら、最大光量を出力する電流量を測定する（Ｓ３０４）。
【００９０】
その後、測定された値を利用し、赤色（Ｒ）、緑色（Ｇ）及び青色（Ｂ）の光源の中で最小光量を出力する光源を決定する（Ｓ３０６）。例えば、赤色（Ｒ）の光源は１Ｗ、緑色（Ｇ）の光源は２Ｗ、青色（Ｂ）の光源は０．５Ｗの光量を出力する場合、最小光量出力光源として青色（Ｂ）の光源を設定する。
【００９１】
また、赤色（Ｒ）、緑色（Ｇ）及び青色（Ｂ）の各光源の波長及び任意の目標色温度（例えば、１００００Ｋ）を設定して（Ｓ３０８）、設定された色温度によって赤色（Ｒ）、緑色（Ｇ）及び青色（Ｂ）の各光源の光量比（例えば、Ｒ：Ｇ：Ｂ＝α：β：δ）を決定する（Ｓ３１０）。
【００９２】
その後、赤色（Ｒ）、緑色（Ｇ）及び青色（Ｂ）の光源の光量比及び設定された最小光量出力光源によって、赤色（Ｒ）、緑色（Ｇ）及び青色（Ｂ）の各光源の光量出力量を決定する（Ｓ３１２）。
【００９３】
この際、赤色（Ｒ）、緑色（Ｇ）及び青色（Ｂ）の光源の光量出力量は、青色（Ｂ）の光源の光量出力量（Ｂ＿ｉｎｄｅｘ＿ｍａｘ）を基準とし、赤色（Ｒ）光源の光量出力量（Ｒ＿ｉｎｄｅｘ＿ｍａｘ）はｃ＊α／δに設定され、緑色（Ｇ）光源の光量出力量（Ｇ＿ｉｎｄｅｘ＿ｍａｘ）はｃ＊β／δに設定される。
【００９４】
赤色（Ｒ）、緑色（Ｇ）及び青色（Ｂ）の各光源の光量出力量が決定されれば、赤色（Ｒ）、緑色（Ｇ）及び青色（Ｂ）の各光源の光量出力量によって、赤色（Ｒ）、緑色（Ｇ）及び青色（Ｂ）の各光源に供給される印加電流を決定する（Ｓ３１４）。
【００９５】
その後、決定された印加電流を赤色（Ｒ）、緑色（Ｇ）及び青色（Ｂ）の各光源に供給する。
【００９６】
このような方法のホワイトバランス調節方法は、個別Ｒ、Ｇ、Ｂレーザーダイオード光源を備えるディスプレイシステムの出荷前に進む。
【００９７】
このように、本発明の実施例による回折型光変調器を利用するディスプレイシステムのカラー特性調整方法は、最大階調データを出力するためのＲ、Ｇ、Ｂの各光源別最大光量出力電流量を利用して最小光量出力光源を決定した後、決定された最小光量出力光源と任意に設定された目標色温度による各光源の光量比によって各光源別光量出力量を決定し、決定された光量出力量による電流をそれぞれの光源に供給することにより、表示階調度の損失なしにホワイトバランスを調節することができる。
【００９８】
また、本発明の実施例による回折型光変調器を利用するディスプレイシステムのカラー特性調整装置は、任意の目標色温度によるＲＧＢ光源の光量比と、最大階調データ出力の際、最小光量を出力する光源を利用して、各光源別光量出力量による各光源別印加電流で初期ホワイトバランスを調節するので、階調度の損失なしにホワイトバランスを調節することができる。
【００９９】
そして、本発明の実施例による回折型光変調器を利用するディスプレイシステムのカラー特性調整装置は、ＲＧＢ光源の各光量出力量を同時に変化させることにより、階調度の損失がない初期ホワイトバランス状態を維持しながら画像全体の明るさを調節することができる。
【０１００】
また、本発明の実施例による回折型光変調器を利用するディスプレイシステムのカラー特性調整装置は、使用者の選択によってＲＧＢ光源のいずれか一つの光源の光量出力量を調節し、ＲＧＢ光源のいずれか一つの光源の光を増加又は減少させることで特定の色を強調又は減少させることができる。
【０１０１】
これにより、色弱又は色盲などのように特定の色又は色全体の区別能力に劣る人であっても自分が望む色で映像を具現することができる。
【０１０２】
図７は図３に示す回折型光変調器を利用するディスプレイシステムのプロジェクション制御部の他の実施例のブロック構成図である。
【０１０３】
図７を参照すれば、本発明の他の実施例によるプロジェクション制御部は、映像信号入力部４０２、ガンマ基準電圧記憶部４０４、映像補正部４０６、エレメント別補正データ記憶部４０８、映像データ／同期信号出力部４１０、上部電極電圧範囲調整部４１２、下部電極電圧調整部４１４、光源出力制御部４１６、スキャナー出力制御部４１８、パネルドライバー３０２、光源ドライバー３１０、及びスキャナードライバー３０６を備えている。ここで、ガンマ基準電圧記憶部４０４、映像補正部４０６、エレメント別補正データ記憶部４０８、上部電極電圧範囲調整部４１２、下部電極電圧調整部４１４、及び映像データ／同期信号出力部４１０は映像を出力するので映像出力部と名付けることができ、上部電極電圧範囲調整部４１２及び下部電極電圧調整部４１４は基準電圧出力部と名付けることができる。
【０１０４】
ここで、映像信号入力部４０２は、光変調光学系１５０と携帯端末制御係とのインターフェース機能をする。
【０１０５】
プロジェクション制御部１４０の映像信号入力部４０２は、ベースバンドプロセッサ１１６から映像イメージデータを受けると同時に垂直同期信号（Ｖｓｙｎｃ）と水平同期信号（Ｈｓｙｎｃ）を受ける。
【０１０６】
そして、プロジェクション制御部１４０の映像補正部４０６は、横方向に整列された映像イメージデータを縦方向に変換するデータトランスポーズ（又は映像ピボッティング（ｐｉｖｏｔｉｎｇ））を行って、横方向に入力された映像イメージデータを縦方向の映像イメージデータに変換して出力する。
【０１０７】
このように、映像補正部４０６においてデータトランスポーズが必要な理由は、光変調器パネル３０４から出射する走査線は複数のピクセル（一例として、入力される映像データが４８０＊６４０の場合、４８０個のピクセル）に対応するスキャニング回折点光が縦に配列されているため、横方向にスキャンして表示するようになっているからである。
【０１０８】
すなわち、標準映像データは横方向に整列されている。しかし、光変調器パネル３０４は、複数の上部反射部が縦方向に配列されているため、複数の映像データを横方向にスキャニングしながら表示するようになっている。
【０１０９】
したがって、光変調器パネル３０４を利用して、４８０×６４０個のピクセルからなる１フレームの映像を、走査線をスキャニングして形成するためには、４８０個の縦方向に配列されたデータを必要とする。
【０１１０】
言い換えれば、図８Ａは４８０×６４０ピクセルからなる１フレームの映像データの構造を示す。図８Ａに示す映像データは、外部から横方向に、すなわち（０，０）、（０，１）、（０，２）、（０，３）、・・・の順に入力される。
【０１１１】
しかし、光変調器パネル３０４を利用して４８０個の縦方向に配列されたデータが要求されるので、前記入力される映像データは横方向配列から縦方向配列にトランスポーズされなければならない。
【０１１２】
そして、映像補正部４０６は、スキャニング時間のうちには、データトランスポーズされた映像データを第１列から最後列まで順次出力する。
【０１１３】
この際、映像補正部４０６は、映像データに対し、エレメント別補正データ記憶部４０８に格納されたエレメント別補正データテーブルによる補正を行い、補正された映像データを映像データ／同期信号出力部４１０に出力する。
【０１１４】
一方、ガンマ基準電圧記憶部４０４には上部電極（ガンマ）基準電圧と下部電極（ガンマ）基準電圧が格納されている。ここで、上部電極（ガンマ）基準電圧とは、光変調器パネル３０４のパネルドライバー３０２がエレメント別に映像データの階調度による印加電圧を出力するときに参照する上部電極基準電圧を意味し、下部電極基準電圧とは、光変調器パネル３０４の下部電極に印加電圧を意味する。
【０１１５】
このようなガンマ基準電圧記憶部４０４に上部電極基準電圧と下部電極基準電圧を格納し、光変調器パネル３０４のパネルドライバー３０２が階調度による印加電圧を出力するときに参照する必要がある理由は、光変調器パネル３０４から出射する回折光の光強度が印加電圧の電圧レベルによって線形的に変わらず、非線形的に変わる図９のガンマ特性が現れるからである。
【０１１６】
すなわち、図９の光強度履歴曲線を参照すれば、得ようとする光強度が線形的に変化するに対し、つまりＰ１、Ｐ２、・・・、Ｐｎの間隔が一定であるとき、印加すべき印加電圧Ｒ１、Ｒ２、・・・、Ｒｎは一定の間隔を持たずに非線形を現すので、ガンマ基準電圧記憶部４０４に上部電極基準電圧と下部電極基準電圧を格納し、光変調器パネル３０４のパネルドライバー３０２が階調度による印加電圧を出力するときに参照する必要がある。
【０１１７】
そして、ガンマ基準電圧記憶部４０４に格納されている上部電極基準電圧と下部電極基準電圧はそれぞれの光源に対して決定されている。一例として、Ｒ光源に対してＲ１〜ＲｎのＲ上部電極基準電圧が、Ｇ光源に対してＧ１〜ＧｎのＧ上部電極基準電圧が、Ｂ光源に対してＢ１〜ＢｎのＢ上部電極基準電圧が決定されている。
【０１１８】
この際、ガンマ基準電圧記憶部４０４に格納されている上部電極基準電圧は、それぞれの光源に対し、最小上部電極基準電圧と最大上部電極基準電圧を格納するようにすることもできる。すなわち、ガンマ基準電圧記憶部４０４に格納されている上部電極基準電圧は、その最小及び最大値のみを格納することができる。
【０１１９】
このような状況で、パネルドライバー３０２は、映像データ／同期信号出力部４１０から映像データの階調度が入力されれば、これに整合する上部電極電圧を得るために、上部電極電圧範囲調整部４１２を介して提供される上部電極基準電圧を参照し、当該階調度に対応する上部電極電圧を得る。この際、上部電極電圧範囲調整部４１２は、ガンマ基準電圧記憶部４０４に格納されている上部電極基準電圧を読み取り、その上部電極基準電圧をパネルドライバー３０２に出力する。そして、これと同時に、光変調器パネル３０４には、下部電極電圧調整部４１４から下部電極電圧が提供されている。すなわち、下部電極電圧調整部４１４は、ガンマ基準電圧記憶部４０４に格納された下部電極基準電圧を読み取って光変調器パネル３０４の下部電極に提供する。
【０１２０】
これにより、光変調器パネル３０４は、パネルドライバー３０２から提供される上部電極電圧と下部電極電圧調整部４１４から提供される下部電極電圧によって駆動され、入射する入射光を変調して回折光を形成する。
【０１２１】
一方、上部電極基準電圧と下部電極基準電圧は、光変調器パネル３０４を製作するとき、光変調器パネル３０４を一定の電圧範囲で繰り返し駆動した後、光強度検出器（一例として、フォトセンサーなど）を利用してエレメント別光強度を得、図９に示すように、これからエレメント別光強度履歴曲線を構成することにより、得られる。
【０１２２】
この際、得られた相異なる三つのエレメントに対する光強度履歴曲線の一例を図１０に示す。ここで、エレメント１の場合、光強度が最小である電圧はＶｐ１ｍｉｎ、光強度が最大である電圧はＶｐ１ｍａｘであり、エレメント２の場合、光強度が最小である電圧はＶｐ２ｍｉｎ、光強度が最大である電圧はＶｐ２ｍａｘであり、エレメント３の場合、光強度が最小である電圧はＶｐ３ｍｉｎ、最大である電圧はＶｐ３ｍａｘである。
【０１２３】
この際、試験者は、すべてのエレメントの最小光強度を検出することができる最下位電圧と最大光強度を検出することができる最上位電圧とを含むように、上部電極基準電圧範囲を決定することができる。一例として、図１０では、Ｖｔｍｉｎ、Ｖｔｍａｘが決定される。
【０１２４】
このように、試験者が選択した上部電極基準電圧を入力すれば、入力された上部電極基準電圧がガンマ基準電圧記憶部４０４に格納される。
【０１２５】
一方、エレメント別補正データ記憶部４０８に格納されたエレメント別補正データは、映像補正部４０６が映像信号入力部４０２から入力される映像データを補正し、補正された出力映像データを生成するために参照するもので、図１２に示すように、テーブルに作成できる。
【０１２６】
図１２の補正データテーブルを見れば、外部入力映像階調度（入力映像イメージデータ）がり、そのそれぞれに対し、補正された映像階調度（補正された出力映像イメージデータ）がエレメント別に決まっていることが分かる。
【０１２７】
一例として、エレメント１の場合、入力映像階調度が０であれば補正された映像階調度は５、１であれば映像階調度６、２５４であれば階調度２４９、２５５であれば階調度２５０を出力するようになっている。このようなエレメント別補正データが必要な理由が分かるためには算出過程を理解する必要がある。その算出過程を理解するためには、光変調器パネル３０４のディスプレイ応用においてパネルドライバー３０２の動作を理解する必要がある。
【０１２８】
パネルドライバー３０２は、階調度が入力されれば、上部電極電圧範囲調整部４１２から出力される上部電極基準電圧を参照し、当該階調度に対応する上部電極電圧を出力する。すなわち、一例として、Ｒ光源に対し、上部電極基準電圧をＲ１〜Ｒｎとすれば、パネルドライバー３０２は、階調０が入力されれば駆動電圧Ｒ１を出力し、階調２５５が入力されれば駆動電圧Ｒｎを出力し、０と２５５の間の値が入力されれば予め決定された駆動電圧を出力する。ところが、図１０から分かるように、上部電極基準電圧をエレメント別に最小電圧と最大電圧に設定せずに、最小電圧と最大電圧を共に含むように設定したので、逆にエレメント別補正データを算出しなければならない。これを、エレメント１に対してだけ光強度履歴曲線を示している図１３を参照して説明すれば、外部から入力される階調度が一例として０である場合、０を補正しないでパネルドライバー３０２に印加すれば、出力電圧は Ｖtｍｉｎ になり、この際、実際のエレメント１が出力する光強度は１５になる。したがって、このような不一致を解決するために、実際のエレメント１が０の光強度を出射するＶｐ１ｍｉｎに対応する対応階調度１０をパネルドライバー３０２に出力すれば良い。
【０１２９】
結論として、エレメント別補正データ記憶部４０８には、前述した方式によって、外部から入力される入力映像階調度を補正することができる補正映像階調度を図１２に示すようなテーブルに作成して格納している。
【０１３０】
一方、映像データ／同期信号出力部４１０は、映像補正部４０６から出力する映像データをパネルドライバー３０２に提供する。
【０１３１】
また、映像データ／同期信号出力部４１０は、映像補正部４０６から受けた垂直同期信号と水平同期信号を受けて出力する。
【０１３２】
そして、上部電極電圧範囲調整部４１２は、ガンマ基準電圧記憶部４０４に格納されている上部電極基準電圧を読み取ってパネルドライバー３０２に出力し、モバイル器機制御部１４２からカラー特性変化制御信号が入力されれば、それに応じて、上部電極基準電圧を調整して出力する。
【０１３３】
すなわち、上部電極電圧範囲調整部４１２は、ガンマ基準電圧記憶部４０４に格納されている上部電極基準電圧を読み取って出力する。この際、モバイル器機制御部１４２からカラー特性変化制御信号が入力されれば、それに応じて、上部電極基準電圧を補正し、補正された上部電極基準電圧を出力することになる。この際、上部電極基準電圧の補正値はカラー特性変化制御信号の補正要求値によって変わる。
【０１３４】
そして、下部電極電圧調整部４１４は、ガンマ基準電圧記憶部４０４に格納されている下部電極基準電圧を読み取って光変調器パネル３０４に出力し、モバイル器機制御部１４２からカラー特性変化制御信号が入力されれば、それに応じて、下部電極基準電圧を調整して出力する。
【０１３５】
すなわち、下部電極電圧調整部４１４は、ガンマ基準電圧記憶部４０４に格納されている下部電極基準電圧を読み取って出力する。この際、モバイル器機制御部１４２からカラー特性変化制御信号が入力されれば、それに応じて、下部電極基準電圧を補正し、補正された下部電極基準電圧を出力することになる。この際、下部電極基準電圧の補正値はカラー特性変化制御信号の補正要求値によって変わる。
【０１３６】
このように、上部電極電圧範囲調整部４１２から出力される上部電極基準電圧がモバイル器機制御部１４２から出力されるカラー特性変化制御信号に応じて補正されるか、あるいは下部電極電圧調整部４１４から出力される下部電極基準電圧がモバイル器機制御部１４２から出力されるカラー特性変化制御信号に応じて補正されれば、それによって、同一映像データが映像データ／同期信号出力部４１０からパネルドライバー３０２に入力されても、光変調器パネル３０４が出力する回折光の光強度が変化して、スクリーン１６０に表示される映像のカラー特性が変化する。
【０１３７】
すなわち、上部電極電圧範囲調整部４１２から出力される上部電極基準電圧が調整されれば、映像補正部４０６から同一映像データが映像データ／同期信号出力部４１０に出力される場合、パネルドライバー３０２が生成する光変調器パネル３０４の上部電極駆動電圧が変化し、よって、光変調器パネル３０４が生成する回折光の光強度を変化させることになり、結果として、スクリーン１６０に表示される映像のカラー特性が変化する。
【０１３８】
また、下部電極電圧調整部４１４から出力される下部電極基準電圧が調整されれば、映像補正部４０６から同一映像データが映像データ／同期信号出力部４１０に出力される場合、パネルドライバー３０２が生成する光変調器パネル３０４の上部電極駆動電圧が変化しないが、光変調器パネル３０４に印加される下部電極基準電圧が変化し、それにより、光変調器パネル３０４が生成する回折光の光強度を変化させ、結果として、スクリーン１６０に表示される映像のカラー特性が変化する。
【０１３９】
これを、図１４に基づき、一例として、下部電極電圧調整部４１４によって下部電極電圧が調整された場合について説明すれば、図１４は印加電圧対出力光強度を示すグラフであって、ガンマ基準電圧記憶部４０４に格納されている最小上部電極電位（Ｖｔｍｉｎ）及び最大上部電極電位（Ｖｔｍａｘ）、かつ下部電極電位を示す。図１４に実線で表示されるように、パネルドライバー３０２が、映像データ／同期信号出力部４１０から入力される階調度に対応する上部電極電圧を、上部電極電圧範囲調整部４１２から入力される上部電極基準電圧を参照して出力すれば、それによる印加電圧対出力光強度のグラフに示すように、出力光強度を得ることができる。
【０１４０】
一方、下部電極電圧調整部４１４に設定された補正値がΔＶ１であれば、それによって、下部電極電圧調整部４１４は、光変調器パネル３０４に、ガンマ基準電圧記憶部４０４に格納された下部電極基準電圧に補正値を加算して出力することになり、すると、上部電極電位が変化しないから、印加電圧対光強度グラフにおいて、ＡグラフをＢグラフに移動させる結果をもたらす。
【０１４１】
また、下部電極電圧調整部４１４に設定された補正値が−ΔＶ２であれば、それによって、下部電極電圧調整部４１４は、光変調器パネル３０４に下部電極電圧を出力するとき、ガンマ基準電圧記憶部４０４に格納された下部電極基準電圧に補正値を加算して（結果として、引き算することになる）出力することになり、すると、上部電極電位が変化しないから、印加電圧対光強度グラフにおいて、ＡグラフをＣグラフに移動させる結果をもたらす。
【０１４２】
このように、下部電極電圧調整部４１４の補正値を変化させることで、印加電圧対光強度グラフをＡからＢに、ＡからＣに移動させることになり、映像補正部４０６から同一映像データが映像データ／同期信号出力部４１０に出力される場合、パネルドライバー３０２が生成する光変調器パネル３０４の上部電極駆動電圧は変化しないが、光変調器パネル３０４に印加される下部電極基準電圧は変化し、それによって光変調器パネル３０４の駆動電圧が変化して回折光の光強度を変化させることになり、結果として、スクリーン１６０に表示される映像のカラー特性が変化する。
【０１４３】
すなわち、一例として、パネルドライバー３０２が、映像データ／同期信号出力部４１０から特定の階調度値を受け、それによって、上部電極電圧範囲調整部４１２から入力される上部電極基準電圧を参照してＲｅｘ電圧値を光変調器パネル３０４に出力した場合、下部電極電圧調整部４１４に先に補正されていない下部電極基準電圧を出力すれば、光変調器パネル３０４の当該エレメントから出射する回折光の光強度はＰ１になる。
【０１４４】
ところが、下部電極電圧調整部４１４に設定された補正値が調整されてΔＶ１になれば、映像補正部４０６から同一映像データが映像データ／同期信号出力部４１０に出力される場合、パネルドライバー３０２が生成する光変調器パネル３０４の駆動電圧が、上部電極は変化がないが、下部電極電圧調整部４１４が光変調器パネル３０４に提供する下部電極の基準値が−ΔＶ１だけ変化し（つまり、図１４において、印加電圧に対する光強度出力曲線がＡからＢに変化し）、よって、光変調器パネル３０４の当該エレメントが生成する光強度がＰ２になって光強度が減少し、その結果、スクリーン１６０上のカラー特性が変化する。
【０１４５】
また、下部電極電圧調整部４１４に設定された補正値が調整されて−ΔＶ２になれば、映像補正部４０６から同一映像データが映像データ／同期信号出力部４１０に出力される場合、パネルドライバー３０２が生成する回折型光変調器パネル３０４の上部電極の駆動電圧は変化がないが、下部電極電圧調整部４１４が光変調器パネル３０４に提供する下部電極の基準値がΔＶ２だけ変化し（つまり、図１４において、印加電圧に対する光強度出力曲線がＡからＣに変化し）、よって、光変調器パネル３０４の当該エレメントが生成する光強度がＰ３になって光強度が増加し、その結果、スクリーン１６０上のカラー特性が変化する。
【０１４６】
一方、光源出力制御部４１６は、映像データ／同期信号出力部４１０から垂直同期信号と水平同期信号が入力されれば、それに応じて光源ドライバー３１０を制御し、光源ドライバー３１０が光源をスイッチングするようにする。
【０１４７】
次いで、スキャナー出力制御部４１８は、映像データ／同期信号出力部４１０から垂直同期信号と水平同期信号が入力されれば、それに応じてスキャナードライバー３０６を制御して、スキャナードライバー３０６が投映及びスキャニング光学部１５５のスキャナー（図示せず）を駆動するようにする。
【０１４８】
そして、パネルドライバー３０２は、映像データ／同期信号出力部４１０から映像データ（階調度）が入力されれば、上部電極電圧範囲調整部４１２から提供される上部電極基準電圧を参照し、それによる上部電極の駆動電圧を生成して光変調器パネル３０４に出力する。
【０１４９】
また、下部電極電圧調整部４１４は、ガンマ基準電圧記憶部４０４に格納された下部電極基準電圧を読み取って出力することになる。この際、モバイル器機制御部１４２からカラー特性変化制御信号が入力されれば、それに応じて下部電極基準電圧を調整して光変調器パネル３０４に出力する。
【０１５０】
一方、光変調光学系１５０は、ＲＧＢ光を生成して出射する光源系１５１、光源系１５１から出射した光を光変調器パネル３０４に入射させる照明光学部１５２、照明光学部１５２から入射した光を回折させて（つまり、照明光学部１５２が入射した光を回折させて、複数の回折次数を有する回折光を形成することになり、この際、複数の回折次数の回折光の中でいずれか１次数又は複数次数の回折光が所望映像イメージを生成することになる）映像イメージを生成する光変調器パネル３０４、光変調器パネル３０４で生成された複数次数の回折光のなかで、所望次数の回折光を通過させるシュリーレン光学部１５４、及びシュリーレン光学部１５４を通過した回折光からなる映像イメージをスクリーン１６０に投射する投映及びスキャニング光学部１５５を含む。
【０１５１】
以下、図３、図７及び図１５に基づいて、本発明の一実施例によるカラー特性調整装置を有する光変調プロジェクターを含む携帯用端末機の動作を説明する。
【０１５２】
先に、ベースバンドプロセッサ１１６は、使用者が、入力部１１２を介して、映像イメージを拡大してスクリーンに投射するプロジェクションモードを選択するかどうかを判断し（段階Ｓ１１０）、使用者がプロジェクションモードを選択すれば、それによるプロジェクションモードウィンドウを提供し、使用者がスクリーン１６０に投射しようとする映像イメージを選択するように、映像リストを提供する（段階Ｓ１１２）。
【０１５３】
そして、使用者が映像リストのなかで、スクリーン１６０に投射しようとする映像を選択すれば（段階Ｓ１１４）、ベースバンドプロセッサ１１６は、使用者が選択した映像のイメージデータをプロジェクション制御部１４０に伝送する。
【０１５４】
そして、ベースバンドプロセッサ１１６は、プロジェクション制御部１４０にプロジェクションモード制御信号を伝送し、プロジェクション制御部１４０が受けた映像イメージデータによる駆動信号を光源系１５１と光変調器パネル３０４に伝送するようにする。
【０１５５】
すなわち、プロジェクション制御部１４０の映像信号入力部４０２は、ベースバンドプロセッサ１１６から映像イメージデータを受けると同時に垂直同期信号（Ｖｓｙｎｃ）と水平同期信号（Ｈｓｙｎｃ）を受ける。
【０１５６】
そして、プロジェクション制御部１４０の映像補正部４０６は、横方向に整列されている映像イメージデータを縦方向に変換するデータトランスポーズを行って、横方向に入力された映像イメージデータを縦方向の映像イメージデータに変換して出力する。
【０１５７】
そして、映像補正部４０６は、スキャニング時間のうちには、データトランスポーズされた映像データを第１列から最後列まで順次読み取って出力する。
【０１５８】
この際、映像補正部４０６は、映像信号入力部４０２から入力された映像データをエレメント別補正データ記憶部４０８に格納されたエレメント別補正データテーブルによる補正を行い、補正された映像データを映像データ／同期信号出力部４１０に出力する。
【０１５９】
すると、パネルドライバー３０２は、映像データ／同期信号出力部４１０から映像データ（階調度）が入力されれば、上部電極電圧範囲調整部４１２から上部電極基準電圧を受け、その上部電極基準電圧による上部電極の駆動電圧を光変調器パネル３０４に出力する。
【０１６０】
これにより、光変調器パネル３０４は上部電極の駆動電圧によって駆動され、映像イメージを持っている複数のスキャニング回折点光からなる走査線を出力し、投映及びスキャニング光学部１５５は走査線をスクリーン１６０にスキャニングして映像を生成する（段階Ｓ１１６）。
【０１６１】
一方、ベースバンドプロセッサ１１６は、使用者がカラー特性変化メニューを選択するかを判断し（段階Ｓ１１８）、使用者がカラー特性変化メニューを選択すれば、カラー特性変化メニューウィンドウを提供する（段階Ｓ１２０）。この際、ベースバンドプロセッサ１１６が使用者に提供するメニューウィンドウは、カラー特性量増加ボタン、カラー特性量減少ボタンを含み、使用者が該当ボタンを押して該当量を増加又は減少させた後、確認ボタンを押す（段階Ｓ１２２）。
【０１６２】
すると、ベースバンドプロセッサ１１６は、カラー特性量増加／減少の場合は、下部電極基準電圧増加／減少制御信号をプロジェクション制御部１４０の下部電極電圧調整部４１４（もちろん、上部電極電圧を調整することもできるが、この時は上部電極電圧範囲の調整を上部電極電圧範囲調整部４１２に要請する）に伝送する。
【０１６３】
これにより、下部電極電圧調整部４１４の補正値を増加／減少させ、これにより、光変調器パネル３０４に提供される下部電極基準電圧が増加／減少してカラー特性が変化する（段階Ｓ１２４）。
【０１６４】
ここでは、下部電極の基準電圧を変化させる方法について説明したが、上部電極の基準電圧を変化させることもできることは当然である。また、回折型変調器１５３には赤色、緑色および青色の光源から三つの光を入射させてもよいし、赤色、緑色および青色の光対応して各々の光を入射させる三つの回折型変調器１５３が設けられてもよい。
【産業上の利用可能性】
【０１６５】
本発明は、外部光の明るさなどの変化に能動的に対応するように使用者のカラー特性の変化要求に応答し、階調度の損失がないホワイトバランス状態を維持しながら画像の全体明るさを調節することができる回折型光変調器を利用するディスプレイシステムのカラー特性調整装置及びその方法に適用可能である。
【図面の簡単な説明】
【０１６６】
【図１】従来技術による反射型変更可能格子光変調器の構造図である。
【図２】従来技術による陷沒型薄膜圧電光変調器の断面図である。
【図３】本発明の実施例による回折型光変調器を利用するディスプレイシステムのブロック構成図である。
【図４】図３に示す回折型光変調器を利用するディスプレイシステムのカラー特性調整装置の一実施例によるブロック構成図である。
【図５】図３に示す本発明の実施例による回折型光変調器を利用するディスプレイシステムのホワイトバランス調整方法のフローチャートである。
【図６】最大光量を出力する電流量を測定するグラフである。
【図７】図３に示す回折型光変調器を利用するディスプレイシステムのカラー特性調整装置の他の実施例によるブロック構成図である。
【図８Ａ】４８０×６４０ピクセルから構成される１フレームの映像データの構造を示す構造図である。
【図８Ｂ】入力される映像データが横方向配列から縦方向配列にトランスポーズされた構造図である。
【図９】回折型光変調器において、回折光の光強度による印加電圧を示すグラフである。
【図１０】回折型光変調器のエレメント別に印加電圧による光強度を示すグラフである。
【図１１】回折型光変調器に印加される印加電圧による平均光強度を示すグラフである。
【図１２】エレメント別補正データ記憶部に格納された補正テーブルである。
【図１３】エレメント別補正データ算出過程を説明するためのグラフである。
【図１４】下部電極基準電圧の調節による光強度変化を説明するためのグラフである。
【図１５】本発明の他の実施例による回折型光変調器を利用するディスプレイシステムのカラー特性調整方法のフローチャートである。
【符号の説明】
【０１６７】
１０２    メモリ
１１０    無線通信部
１１２    入力部
１１６    ベースバンドプロセッサ
１１８    イメージセンサーモジュールプロセッサ
１２０    ディスプレイ部
１３０    光変調器プロジェクター
１４０    プロジェクション制御部
１５０    光変調光学系
１５１    光源系
１５２    照明光学部
１５３    回折型光変調器
１５４    シュリーレン光学部
１５５    投映及びスキャニング光学部
１６０    スクリーン
２０２、４０２    映像信号入力部
２０４、４０６    映像補正部
２０６、４１２    上部電極電圧範囲調節部
２０８、４１４    下部電極電圧調節部
２１０、４１０    映像データ／同期信号出力部
２１２、４１６    光源出力制御部
２１４、４１８    スキャナー出力制御部
３０２    パネルドライバー
３０４    光変調器パネル
３０６    スキャナードライバー
３０８    スキャニングデバイス
３１０    光源ドライバー
３１２    光源
４０４    ガンマ基準電圧記憶部
４０８    エレメント別補正データ記憶部
【図１】
2008033333.tif 000003
【図２】
2008033333.tif 000004
【図３】
2008033333.tif 000005
【図４】
2008033333.tif 000006
【図５】
2008033333.tif 000007
【図６】
2008033333.tif 000008
【図７】
2008033333.tif 000009
【図８Ａ】
2008033333.tif 000010
【図８Ｂ】
2008033333.tif 000011
【図９】
2008033333.tif 000012
【図１０】
2008033333.tif 000013
【図１１】
2008033333.tif 000014
【図１２】
2008033333.tif 000015
【図１３】
2008033333.tif 000016
【図１４】
2008033333.tif 000017
【図１５】
2008033333.tif 000018